【手続補正書】
【提出日】平成26年5月19日(2014.5.19)
【手続補正１】
【補正対象書類名】明細書
【補正対象項目名】発明の名称
【補正方法】変更
【補正の内容】
【発明の名称】印刷装置、及び印刷装置の制御方法、プログラム、並びに記憶媒体
【手続補正２】
【補正対象書類名】明細書
【補正対象項目名】０００１
【補正方法】変更
【補正の内容】
【０００１】  本発明は、定着器のクリーニング処理を実行可能な印刷装置、及び印刷装置の制御方法、プログラム、並びに記憶媒体に関する。
【手続補正３】
【補正対象書類名】明細書
【補正対象項目名】０００７
【補正方法】変更
【補正の内容】
【０００７】  本発明は、上記課題に鑑みて成されたものである。本発明は、定着器のクリーニングを行う第１のクリーニング処理及び第２のクリーニング処理のうち、実行すべきクリーニング処理を決定する印刷装置、及び印刷装置の制御方法、プログラム、並びに記憶媒体を提供することを目的とする。
【手続補正４】
【補正対象書類名】明細書
【補正対象項目名】０００８
【補正方法】変更
【補正の内容】
【０００８】  上記目的を達成するために、本発明の一様態に係る印刷装置は以下のような構成を備える。シートに形成された画像の定着を行う定着器を有する印刷装置であって、記録剤を用いて画像が形成されたシートで前記定着器のクリーニングを行う第１のクリーニング処理、又は、前記第１のクリーニング処理で形成される画像とは異なる色数の記録剤を用いて画像が形成されたシートで前記定着器のクリーニングを行う第２のクリーニング処理を実行する実行手段と、印刷されたシートの枚数に従って、前記実行手段によって前記第１のクリーニング処理を実行することを決定する決定手段と、を有することを特徴とする。 また、上記目的を達成するために、本発明の一様態に係る印刷装置は以下のような構成を備える。シートに形成された画像の定着を行う定着器を有する印刷装置であって、画像が形成された面が第１の方向を向いているシートで前記定着器のクリーニングを行う第１のクリーニング処理、又は、画像が形成された面が前記第１の方向とは反対の第２の方向を向いているシートで前記定着器のクリーニングを行う第２のクリーニング処理を実行する実行手段と、印刷されたシートの枚数に従って、前記実行手段によって前記第１のクリーニング処理を実行することを決定する決定手段と、を有することを特徴とする。
【手続補正５】
【補正対象書類名】明細書
【補正対象項目名】０００９
【補正方法】変更
【補正の内容】
【０００９】  本発明によれば、例えば、定着器のクリーニングを行う第１のクリーニング処理及び第２のクリーニング処理のうち、実行すべきクリーニング処理を決定することができる。
【手続補正６】
【補正対象書類名】特許請求の範囲
【補正対象項目名】全文
【補正方法】変更
【補正の内容】
【特許請求の範囲】
【請求項１】
シートに形成された画像の定着を行う定着器を有する印刷装置であって、 記録剤を用いて画像が形成されたシートで前記定着器のクリーニングを行う第１のクリーニング処理、又は、前記第１のクリーニング処理で形成される画像とは異なる色数の記録剤を用いて画像が形成されたシートで前記定着器のクリーニングを行う第２のクリーニング処理を実行する実行手段と、 印刷されたシートの枚数に従って、前記実行手段によって前記第１のクリーニング処理を実行することを決定する決定手段と、 を有することを特徴とする印刷装置。
【請求項２】
前記実行手段によって前記第１のクリーニング処理を実行可能である場合に、前記第１のクリーニング処理を実行する旨を通知する通知手段を更に有することを特徴とする請求項１に記載の印刷装置。
【請求項３】
前記第２のクリーニング処理では、前記第１のクリーニング処理で形成される画像より多い色数の記録剤を用いて画像が形成されたシートで前記定着器のクリーニングを行うことを特徴とする請求項１又は２に記載の印刷装置。
【請求項４】
前記第１のクリーニング処理では、第１の記録剤を用いて画像が形成されたシートで前記定着器のクリーニングを行い、 前記第２のクリーニング処理では、前記第１の記録剤、及び第２の記録剤を用いて画像が形成されたシートで前記定着器のクリーニングを行う ことを特徴とする請求項１乃至３のいずれか１項に記載の印刷装置。
【請求項５】
前記第１のクリーニング処理では、単色の記録剤を用いて画像が形成されたシートで前記定着器のクリーニングを行い、 前記第２のクリーニング処理では、複数色の記録剤を用いて画像が形成されたシートで前記定着器のクリーニングを行うことを特徴とする請求項１乃至４のいずれか１項に記載の印刷装置。
【請求項６】
前記第２のクリーニング処理は、画像が形成されたシートを排出し、排出されたシートであって、ユーザによってシート保持部にセットされたシートを搬送し、搬送されたシートで前記定着器のクリーニングを行うことを特徴とする請求項１乃至５のいずれか１項に記載の印刷装置。
【請求項７】
前記定着器は、加圧ローラ及び加熱ローラを有し、 前記第１のクリーニング処理は、前記加圧ローラ及び前記加熱ローラを回転させて、前記加圧ローラに付着した汚れを前記加熱ローラに移し、前記加熱ローラに移された汚れをクリーニングすることを特徴とする請求項１乃至６のいずれか１項に記載の印刷装置。
【請求項８】
印刷されたシートの枚数が所定の枚数に達しているか否かを判定する判定手段を更に有し、 前記決定手段は、前記判定手段によって前記所定の枚数に達していると判定された場合に、前記実行手段によって前記第１のクリーニング処理を実行することを決定することを特徴とする請求項１又は２に記載の印刷装置。
【請求項９】
シートに形成された画像の定着を行う定着器を有する印刷装置であって、 画像が形成された面が第１の方向を向いているシートで前記定着器のクリーニングを行う第１のクリーニング処理、又は、画像が形成された面が前記第１の方向とは反対の第２の方向を向いているシートで前記定着器のクリーニングを行う第２のクリーニング処理を実行する実行手段と、 印刷されたシートの枚数に従って、前記実行手段によって前記第１のクリーニング処理を実行することを決定する決定手段と、  を有することを特徴とする印刷装置。
【請求項１０】
シートに形成された画像の定着を行う定着器を有する印刷装置であって、 搬送されたシートに画像を形成し、当該画像が形成されたシートで前記定着器のクリーニングを行うクリーニング処理を実行する実行手段と、 前記実行手段によって前記クリーニング処理を実行するための指示を受け付ける受付手段と、 印刷されたシートの枚数が所定の枚数であり、且つ、前記受付手段によって前記指示を受け付けた場合に、前記実行手段によって前記クリーニング処理を実行するよう制御する制御手段と、 を有することを特徴とする印刷装置。
【請求項１１】
シートに形成された画像の定着を行う定着器を有する印刷装置の制御方法であって、 記録剤を用いて画像が形成されたシートで前記定着器のクリーニングを行う第１のクリーニング処理、又は、前記第１のクリーニング処理で形成される画像とは異なる色数の記録剤を用いて画像が形成されたシートで前記定着器のクリーニングを行う第２のクリーニング処理を実行する実行工程と、 印刷されたシートの枚数に従って、前記実行工程によって前記第１のクリーニング処理を実行することを決定する決定工程と、 を有することを特徴とする印刷装置の制御方法。
【請求項１２】
シートに形成された画像の定着を行う定着器を有する印刷装置の制御方法であって、 画像が形成された面が第１の方向を向いているシートで前記定着器のクリーニングを行う第１のクリーニング処理、又は、画像が形成された面が前記第１の方向とは反対の第２の方向を向いているシートで前記定着器のクリーニングを行う第２のクリーニング処理を実行する実行工程と、 印刷されたシートの枚数に従って、前記実行工程によって前記第１のクリーニング処理を実行することを決定する決定工程と、 を有することを特徴とする印刷装置の制御方法。
【請求項１３】
請求項１１又は１２に記載の制御方法を、コンピュータに実行させるためのプログラム。
【請求項１４】
請求項１３に記載のプログラムを格納した、コンピュータで読み取り可能な記憶媒体。